(57)【要約】  電子装置が、第1の磁場に磁気結合するように構成された導電体を含み得る。第1の同調要素が、導電体に接続され得る。導電性コイルが、導電体によって画定された開口に巻き付けられ、第2の磁場に磁気結合するように構成され得る。
2019512197.tif 000002
【特許請求の範囲】
【請求項１】
ワイヤレス電力伝達のための電子装置であって、
第1の磁場に磁気結合するように構成された導電体と、
前記導電体に電気接続された第1の同調要素と、
前記導電体によって画定された開口に巻き付けられた導電性コイルであって、第2の磁場に磁気結合するように構成された、導電性コイルと
を備える、装置。
【請求項２】
前記導電性コイルに電気接続された第2の同調要素をさらに備える、請求項1に記載の装置。
【請求項３】
前記第1の同調要素および前記第2の同調要素の各々は1つまたは複数のキャパシタを備える、請求項2に記載の装置。
【請求項４】
前記第1の同調要素および前記第2の同調要素のいずれかまたは両方は、1つまたは複数のインダクタを備える、請求項3に記載の装置。
【請求項５】
前記第1の磁場は、ワイヤレス電力送信機によって生成された外部生成磁場であり、前記導電体は、前記外部生成磁場に結合されたことに応答して、前記第2の磁場を生成するように構成される、請求項1に記載の装置。
【請求項６】
前記導電性コイルに接続された整流器をさらに備え、前記整流器は、前記装置を備える電子機器に電力を供給するために、前記導電性コイル中で誘導される電流を整流するように構成される、請求項5に記載の装置。
【請求項７】
前記第2の磁場は外部生成磁場であり、前記導電性コイルは、前記外部生成磁場に結合されたことに応答して、前記第1の磁場を生成するように構成され、前記装置は、前記導電体に接続された整流器をさらに備え、前記整流器は、前記装置を備える電子機器に電力を供給するために、前記導電体中で誘導される電流を整流するように構成される、請求項1に記載の装置。
【請求項８】
前記第1の同調要素がその上に配設されたプリント回路基板と、
前記第1の同調要素を前記導電体に電気接続するコネクタと
をさらに備える、請求項1に記載の装置。
【請求項９】
プリント回路基板をさらに備え、前記導電性コイルは、前記導電体と前記プリント回路基板との間に配設される、請求項1に記載の装置。
【請求項１０】
前記導電性コイルと前記プリント回路基板との間に配設されたフェライト材料をさらに備える、請求項9に記載の装置。
【請求項１１】
前記第1の同調要素および前記導電体は、前記第1の同調要素によって規定される共振周波数を有する回路を構成する、請求項1に記載の装置。
【請求項１２】
前記第1の同調要素および前記導電体を備える前記回路の前記共振周波数に実質的に等しい共振周波数を有する回路を画定するように、前記導電性コイルに電気接続された第2の同調要素をさらに備える、請求項11に記載の装置。
【請求項１３】
前記第1の同調要素および前記導電体を備える前記回路の前記共振周波数とは異なる共振周波数を有する回路を画定するように、前記導電性コイルに電気接続された第2の同調要素をさらに備える、請求項11に記載の装置。
【請求項１４】
電子機器を収容するように構成された金属エンクロージャをさらに備え、前記金属エンクロージャは前記導電体を備える、請求項1に記載の装置。
【請求項１５】
前記装置を備える電子機器を収容するように構成された非金属エンクロージャをさらに備え、前記導電体および前記導電性コイルは前記非金属エンクロージャ内に収容される、請求項1に記載の装置。
【請求項１６】
装着可能電子デバイスである、請求項1に記載の装置。
【請求項１７】
電子デバイスへのワイヤレス電力伝達のための方法であって、
前記電子デバイスのためのハウジングを備える導電性構造を介して外部生成磁場に磁気結合して、前記導電性構造から発出する誘導磁場を生じるステップと、
電力受信要素を介して前記誘導磁場に磁気結合して、前記電力受信要素中で電流を誘導するステップであって、前記電力受信要素は、前記導電性構造から電気的に絶縁される、ステップと、
前記電力受信要素中で誘導された前記電流から電力を生じるステップと
を含む、方法。
【請求項１８】
前記導電性構造を含む回路の共振周波数は、前記外部生成磁場の周波数に実質的に等しい、請求項17に記載の方法。
【請求項１９】
前記電力受信要素を含む回路の共振周波数は、前記外部生成磁場の周波数に実質的に等しい、請求項17に記載の方法。
【請求項２０】
前記導電性構造を介して前記外部生成磁場に磁気結合するステップは、第1の同調要素に電気接続された前記導電性構造を備える第1の回路中で電流を誘導するステップを含み、前記電力受信要素を介して前記誘導磁場に磁気結合するステップは、第2の同調要素に電気接続された前記電力受信要素を備える第2の回路中で電流を誘導するステップを含む、請求項17に記載の方法。
【請求項２１】
前記第1の回路および前記第2の回路のいずれかまたは両方の、共振周波数は、前記外部生成磁場の周波数に実質的に等しい、請求項20に記載の方法。
【請求項２２】
電力を生じるステップは、前記電力受信要素中で誘導された前記電流を整流するステップを含む、請求項17に記載の方法。
【請求項２３】
電力をワイヤレス受信するための装置であって、
前記装置を備える電子構成要素を封入するように構成されたハウジングであって、金属部分を備える、ハウジングと、
前記ハウジングの前記金属部分に接続された第1の同調要素であって、前記ハウジングの前記金属部分は、外部生成磁場に磁気結合されたことに応答して、電流のフローをその中で誘導させることを可能にする形状を有し、前記電流のフローに応答して、前記金属部分から誘導磁場が発出する、第1の同調要素と、
導電性コイルであって、前記誘導磁場に磁気結合されたことに応答して、前記導電性コイル中で電流のフローが誘導される、導電性コイルと、
負荷に電力を供給するために、前記導電性コイル中で誘導される電流を整流するように構成された整流器と
を備える、装置。
【請求項２４】
前記ハウジングの前記金属部分は、それを通る開口を画定し、前記開口から前記金属部分の周縁までのスロットを画定する、請求項23に記載の装置。
【請求項２５】
前記整流器は前記導電性コイルに電気接続される、請求項23に記載の装置。
【請求項２６】
前記第1の同調要素および前記ハウジングの前記金属部分は、第2の同調要素および前記導電性コイルによって規定される共振周波数に実質的に等しい共振周波数を規定する、請求項23に記載の装置。
【請求項２７】
前記第1の同調要素および前記ハウジングの前記金属部分は、第2の同調要素および前記導電性コイルによって規定される共振周波数とは異なる共振周波数を規定する、請求項23に記載の装置。
【請求項２８】
電子デバイスにおいて電力をワイヤレス受信するための装置であって、
前記電子デバイスの電子機器を収容するための手段であって、外部生成磁場に磁気結合するための手段から発出する誘導磁場を生じるように、前記外部生成磁場に磁気結合するための前記手段を備える金属部分を有し、前記外部生成磁場に磁気結合するための前記手段は、共振周波数で共振するように、前記外部生成磁場に磁気結合するための前記手段を同調するための手段に電気接続される、手段と、
電流を誘導するために前記誘導磁場に磁気結合するための手段であって、前記外部生成磁場に磁気結合するための前記手段から電気的に絶縁された、手段と、
前記誘導磁場に磁気結合するための前記手段において誘導された前記電流から電力を生じるための手段と
を備える、装置。
【請求項２９】
前記外部生成磁場に磁気結合するための前記手段および前記誘導磁場に磁気結合するための前記手段のいずれかまたは両方は、前記外部生成磁場の周波数に実質的に等しい共振周波数を有する、請求項28に記載の装置。
【請求項３０】
前記誘導磁場に磁気結合するための前記手段は導電性コイルを備える、請求項28に記載の装置。
【発明の詳細な説明】
【技術分野】
【０００１】
本開示はワイヤレス電力伝達に関し、詳細には、同調金属体を有する電子デバイスにおけるワイヤレス電力伝達に関する。
【背景技術】
【０００２】
ワイヤレス電力伝達は、モバイルフォン、コンピュータタブレットなどのポータブル電子デバイスにおいてますます普及している機能である。なぜなら、そのようなデバイスでは通常、バッテリー寿命が長くかつバッテリー重量が軽いことが要求されるからである。電線を使用せずに電子デバイスに電力を供給できることは、ポータブル電子デバイスのユーザにとって好都合なソリューションをもたらす。ワイヤレス電力充電システムは、たとえば、ユーザが物理的な電気接続なしに電子デバイスを充電し、かつ/または電子デバイスに電力を供給するのを可能にする場合があり、したがって、電子デバイスの動作にとって必要な構成要素の数を減らし電子デバイスの使用を簡略化する。
【０００３】
ワイヤレス電力伝達は、消費者電子デバイスにおいて電源が制限されることに起因する問題への独創的なソリューションを製造業者が開発するのを可能にする。ワイヤレス電力伝達は、電力アダプタおよび充電コードなどの従来の充電ハードウェアをなくすことができるので(ユーザと製造業者の両方にとって)全体的なコストを低減させる場合がある。ワイヤレス電力送信機および/またはワイヤレス電力受信機を構成する構成要素(たとえば、磁気コイル、充電プレートなど)は様々なサイズおよび形状を有するので、モバイルハンドヘルドデバイスからコンピュータラップトップまでの広範囲のデバイスに関する工業デザインおよびサポートの点において融通性に富んでいる。
【発明の概要】
【課題を解決するための手段】
【０００４】
本開示の態様によると、ワイヤレス電力伝達のための電子装置は、第1の磁場に磁気結合するように構成された導電体を含み得る。第1の同調要素が、導電体に電気接続され得る。導電性コイルが、導電体によって画定された開口に巻き付けられてよく、導電性コイルは、第2の磁場に磁気結合するように構成されてよい。
【０００５】
いくつかの実施形態では、電子装置は、導電性コイルに電気接続された第2の同調要素をさらに含み得る。第1および第2の同調要素は各々、1つまたは複数のキャパシタを備え得る。第1および第2の同調要素のいずれかまたは両方が、1つまたは複数のインダクタをさらに備え得る。
【０００６】
いくつかの実施形態では、第1の磁場は、ワイヤレス電力送信機によって生成された外部生成磁場であってよく、導電体は、外部生成磁場に結合されたことに応答して、第2の磁場を生成する。電子装置は、導電性コイルに接続された整流器をさらに含み得る。整流器は、装置を備える電子機器に電力を供給するために、導電性コイル中で誘導される電流を整流するように構成され得る。
【０００７】
いくつかの実施形態では、第2の磁場は外部生成磁場であってよく、導電性コイルは、外部生成磁場に結合されたことに応答して、第1の磁場を生成し得る。電子装置は、導電体に接続された整流器をさらに備え得る。整流器は、装置を備える電子機器に電力を供給するために、導電体中で誘導される電流を整流するように構成され得る。
【０００８】
いくつかの実施形態では、電子装置は、第1の同調要素がその上に配設されたプリント回路基板をさらに含み得る。コネクタが、第1の同調要素を導電体に電気接続し得る。
【０００９】
いくつかの実施形態では、電子装置は、プリント回路基板をさらに含み得る。導電性コイルは、導電体とプリント回路基板との間に配設され得る。電子装置は、導電性コイルとプリント回路基板との間に配設されたフェライト材料をさらに含み得る。
【００１０】
いくつかの実施形態では、第1の同調要素および導電体は、第1の同調要素によって規定される共振周波数を有する回路を構成し得る。電子装置は、第1の同調要素および導電体を備える回路の共振周波数に実質的に等しい共振周波数を有する回路を画定するように、導電性コイルに電気接続された第2の同調要素をさらに含み得る。いくつかの実施形態では、第2の同調要素は、第1の同調要素および導電体を備える回路の共振周波数とは異なる共振周波数を有する回路を画定するように、導電性コイルに電気接続され得る。
【００１１】
いくつかの実施形態では、電子装置は、電子機器を収容するように構成された金属エンクロージャをさらに含み得る。金属エンクロージャは、導電体を備え得る。
【００１２】
いくつかの実施形態では、電子装置は、装置を備える電子機器を収容するように構成された非金属エンクロージャをさらに含み得る。導電体および導電性コイルは、エンクロージャ内に収容され得る。
【００１３】
いくつかの実施形態では、装置は装着可能電子デバイスである。
【００１４】
本開示の態様によると、電子デバイスへのワイヤレス電力伝達のための方法は、導電性構造から発出する誘導磁場を生じるために、外部生成磁場を、電子デバイスのためのハウジングを備える導電性構造に磁気結合するステップを含み得る。誘導磁場は、電力受信要素中で電流を誘導するように、電力受信要素に磁気結合され得る。電力受信要素は、導電性構造から電気的に絶縁され得る。電力受信要素中で誘導された電流から、電力が生じられ得る。
【００１５】
いくつかの実施形態では、導電性構造を含む回路の共振周波数は、外部生成磁場の周波数に実質的に等しい。
【００１６】
いくつかの実施形態では、電力受信要素を含む回路の共振周波数は、外部生成磁場の周波数に実質的に等しい。
【００１７】
いくつかの実施形態では、外部生成磁場を導電性構造に磁気結合するステップは、第1の同調要素に電気接続された導電体を備える第1の回路中で電流を誘導するステップを含み得る。誘導磁場を電力受信要素に磁気結合するステップは、第2の同調要素に電気接続された導電性コイルを備える第2の回路中で電流を誘導するステップを含み得る。第1の回路および第2の回路のいずれかまたは両方の、共振周波数は、外部生成磁場の周波数に実質的に等しい。
【００１８】
いくつかの実施形態では、電力を生じることは、電力受信要素中で誘導された電流を整流することを含み得る。
【００１９】
本開示の態様によると、電子装置が、装置を備える電子構成要素を封入するように構成されたハウジングを含み得る。ハウジングは、金属部分を備え得る。第1の同調要素が、ハウジングの金属部分に接続され得る。ハウジングの金属部分は、外部生成磁場に磁気結合されたことに応答して、電流のフローをその中で誘導させることを可能にする形状を有し得る。電流のフローに応答して、金属部分から誘導磁場が発出し得る。装置は、導電性コイルを含み得る。導電性コイル中で電流のフローを生じるように誘導磁場に磁気結合されたことに応答して、導電性コイル中で電流のフローが誘導され得る。整流器が、負荷に電力を供給するように、導電性構造中で誘導された電流を整流するように構成され得る。
【００２０】
いくつかの実施形態では、ハウジングの金属部分は、それを通る開口を画定し、開口から金属部分の周縁までのスロットを画定し得る。
【００２１】
いくつかの実施形態では、整流器は、導電性コイルに電気接続され得る。
【００２２】
いくつかの実施形態では、第1の同調要素およびハウジングの金属部分は、第2の同調要素および導電性コイルによって規定される共振周波数に実質的に等しい共振周波数を規定し得る。
【００２３】
いくつかの実施形態では、第1の同調要素およびハウジングの金属部分は、第2の同調要素および導電性コイルによって規定される共振周波数とは異なる共振周波数を規定し得る。
【００２４】
本開示の態様によると、電子デバイス中で電力をワイヤレス受信するための装置が、電子デバイスの電子機器を収容するための手段を含み得る。収容するための手段は、外部生成磁場に磁気結合するための手段から発出する誘導磁場を生じるように、外部生成磁場に磁気結合するための手段を含む金属部分を有し得る。外部生成磁場に磁気結合するための手段は、共振周波数で共振するように、外部生成磁場に磁気結合するための手段を同調するための手段に電気接続される。装置は、電流を誘導するために誘導磁場に磁気結合するための手段をさらに含む。誘導磁場に磁気結合するための手段は、外部生成磁場に磁気結合するための手段から電気的に絶縁される。装置は、誘導磁場に磁気結合するための第2の手段において誘導された電流から電力を生じるための手段をさらに含む。
【００２５】
いくつかの実施形態では、外部生成磁場に磁気結合するための手段および誘導磁場に磁気結合するための手段のいずれかまたは両方は、外部生成磁場の周波数に実質的に等しい共振周波数を有する。
【００２６】
いくつかの実施形態では、誘導磁場に磁気結合するための手段は、導電性コイルを備える。
【００２７】
以下の詳細な説明および添付図面は、本開示の性質および利点のより十分な理解を提供する。
【００２８】
以下の説明、とりわけ図面に関して、示されている詳細事項は、実例による説明を目的とした例を示したものであり、本開示の原理および概念面の説明を可能にするために示されたものであることを強調しておく。この点に関して、本開示の基本的な理解のために必要であるものを超える実施態様の詳細を示すための試みはなされていない。以下の議論は、図面に関連して、本開示による実施形態がどのようにして実践される場合があるのかを当業者に明白にする。同様または同じ参照番号が、様々な図面において、および記述を支持する際に、同様または同じ要素を識別するか、またはそうでなければ指すのに使用される場合がある。
【図面の簡単な説明】
【００２９】
【図１】例示的な実施形態によるワイヤレス電力伝達システムの機能ブロック図である。
【図２】例示的な実施形態によるワイヤレス電力伝達システムの機能ブロック図である。
【図３】例示的な実施形態による、電力送信または受信要素を含む図2の送信回路機構または受信回路機構の一部の概念図である。
【図４Ａ】本開示による背面エンクロージャを示す図である。
【図４Ｂ】本開示による背面エンクロージャを示す図である。
【図５】本開示による実施形態の詳細を示す図である。
【図５Ａ】本開示による実施形態の詳細を示す図である。
【図６】本開示による実施形態における渦電流を示す図である。
【図６Ａ】3コイル結合構成としての、図6に示す配置を示す図である。
【図７】本開示による実施形態の特定の実装形態を示す図である。
【図８】本開示による代替実施形態を示す図である。
【図８Ａ】本開示による代替実施形態を示す図である。
【図９】本開示による装着可能実施形態の詳細を示す図である。
【図９Ａ】本開示による装着可能実施形態の詳細を示す図である。
【図１０】本開示によるポータブルコンピュータ実施形態の詳細を示す図である。
【図１１Ａ】本開示による実施形態の詳細を示す図である。
【図１１Ｂ】本開示による実施形態の詳細を示す図である。
【発明を実施するための形態】
【００３０】
以下の説明では、本開示の完全な理解を可能にするために、説明の目的で、多数の例および特定の詳細が記載される。特許請求の範囲に表される本開示は、これらの例における特徴の一部または全部を、単独で、または以下で説明する他の特徴と組み合わせて含む場合があり、本明細書で説明する特徴および概念の変更形態および等価物をさらに含む場合がある。
【００３１】
ワイヤレス電力伝達は、物理的な電気導体を使用することなく、電場、磁場、電磁場などに関連する任意の形態のエネルギーを、またはその他の方法で送信機から受信機に伝達することを指し得る(たとえば、電力は、自由空間を通して伝達され得る)。電力伝達を実現するために、ワイヤレス場(たとえば、磁場または電磁場)内に出力された電力は、「電力受信要素」によって受信され、捕捉され、または結合される場合がある。
【００３２】
図1は、例示的な実施形態によるワイヤレス電力伝達システム100の機能ブロック図である。入力電力102が電源(この図では図示せず)から送信機104に供給され、エネルギー伝達を実施するためのワイヤレス場(たとえば、磁場または電磁場)105が生成され得る。受信機108がワイヤレス場105に結合し、出力電力110に結合されたデバイス(この図では図示せず)による貯蔵または消費のための出力電力110を生成し得る。送信機104と受信機108は、距離112だけ分離され得る。送信機104は、受信機108にエネルギーを送信/結合するための電力送信要素114を含み得る。受信機108は、送信機104から送られたエネルギーを受け取り、または捕捉/結合するための電力受信要素118を含み得る。
【００３３】
1つの例示的実施形態では、送信機104および受信機108は、相互共振関係に従って構成され得る。受信機108の共振周波数と送信機104の共振周波数とが実質的に同じであり、または非常に近いとき、送信機104と受信機108との間の伝送損失が低減される。したがって、ワイヤレス電力伝達はより長い距離にわたって行われてよい。したがって、共振誘導結合技法が、効率の改善と、様々な距離にわたる、様々な誘導電力送信および受信要素構成による電力伝達とを可能にする場合がある。
【００３４】
いくつかの実施形態では、ワイヤレス場105は、送信機104の「近距離場」に相当し得る。近距離場は、電力送信要素114から電力を最小限に抑えて放射する電力送信要素114内の電流および電荷から生じる強い反応場が存在する領域に相当し得る。近距離場は、電力送信要素114の約1波長(または、波長の数分の一)内に存在する領域に相当し得る。
【００３５】
いくつかの実施形態では、効率的なエネルギー伝達は、電磁波のエネルギーの大部分を遠距離場に伝搬するのではなく、ワイヤレス場105内のエネルギーの大部分を電力受信要素118に結合することによって発生する場合がある。
【００３６】
いくつかの実施態様では、送信機104は、電力送信要素114の共振周波数に相当する周波数を有する時変磁場(または電磁場)105を出力してよい。受信機108がワイヤレス場105内にあるとき、時間変動磁場(または電磁場)は、電力受信要素118内の電流を誘導し得る。上述したように、電力受信要素118が電力送信要素114の周波数で共振するように共振回路として構成される場合、エネルギーが効率的に伝達される場合がある。電力受信要素118において誘導された交流(AC)信号が、負荷を充電するまたは負荷に電力供給するために提供される場合がある直流(DC)信号を生じさせるために整流されてよい。
【００３７】
図2は、別の例示的な実施形態によるワイヤレス電力伝達システム200の機能ブロック図である。システム200は、送信機204および受信機208を含み得る。送信機204(本明細書では、電力伝達ユニット、PTUとも呼ばれる)は、発振器222と、ドライバ回路224と、フロントエンド回路226とを含み得る送信回路機構206を含んでよい。発振器222は、周波数制御信号223に応答して調節し得る所望の周波数において発振器信号を生成するように構成され得る。発振器222は、ドライバ回路224に発振器信号を供給することができる。ドライバ回路224は、入力電圧信号(VD)225に基づいて、たとえば、電力送信要素214の共振周波数において、電力送信要素214を駆動するように構成されてよい。ドライバ回路224は、発振器222から方形波を受信し、正弦波を出力するスイッチング増幅器であり得る。
【００３８】
フロントエンド回路226は、高調波または他の望ましくない周波数をフィルタリングするように構成されたフィルタ回路を含んでよい。フロントエンド回路226は、送信機204のインピーダンスを電力送信要素214のインピーダンスに整合させるように構成された整合回路を含んでよい。以下においてより詳細に説明するように、フロントエンド回路226は、電力送信要素214を含む共振回路を作成するための同調回路を含んでよい。電力送信要素214を駆動した結果として、電力送信要素214は、バッテリー236を充電するかまたは場合によっては負荷に電力供給するのに十分なレベルで電力をワイヤレスに出力するためのワイヤレス場205を生成し得る。
【００３９】
送信機204は、送信回路機構206に動作可能に結合されるとともに送信回路機構206の1つまたは複数の態様を制御するかまたは電力の伝達の管理に関連する他の動作を遂行するように構成されたコントローラ240をさらに含み得る。コントローラ240は、マイクロコントローラまたはプロセッサであってよい。コントローラ240は、特定用途向け集積回路(ASIC)として実装されてよい。コントローラ240は、直接的または間接的に、送信回路機構206の各構成要素に動作可能に接続され得る。コントローラ240は、送信回路機構206の構成要素の各々から情報を受信し、受信した情報に基づいて算出を実施するようにさらに構成され得る。コントローラ240は、その構成要素の動作を調節し得る構成要素の各々のための制御信号(たとえば、信号223)を生成するように構成され得る。したがって、コントローラ240は、それによって実施された演算の結果に基づいて、電力伝達を調節または管理するように構成されてよい。送信機204は、たとえば、コントローラ240にワイヤレス電力伝達の管理に関係する機能などの特定の機能を実施させるための命令などのデータを記憶するように構成されたメモリ(図示せず)をさらに含み得る。
【００４０】
受信機208(本明細書では電力受信ユニット、PRUとも呼ぶ)は、フロントエンド回路232と整流器回路234とを含み得る受信回路機構210を含んでよい。フロントエンド回路232は、受信回路機構210のインピーダンスを電力受信要素218のインピーダンスに整合させるように構成された整合回路を含み得る。以下において説明するように、フロントエンド回路232は、電力受信要素218を含む共振回路を作成するための同調回路をさらに含み得る。整流器回路234は、図2に示すように、バッテリー236を充電するために、AC電力入力からDC電力出力を生成し得る。受信機208および送信機204は、追加として、別個の通信チャネル219(たとえば、Bluetooth(登録商標)、Zigbee、セルラーなど)上で通信し得る。受信機208および送信機204は、代替的に、ワイヤレス場205の特性を使用する帯域内シグナリングを介して通信し得る。
【００４１】
受信機208は、送信機204によって送信され、受信機208によって受信される電力量がバッテリー236を充電するのに適切であるかどうかを判断するように構成され得る。いくつかの実施形態では、送信機204は、エネルギー伝達を行うための直接場結合係数(k)を有する主に非放射性の場を生成するように構成され得る。受信機208が、ワイヤレス場205に直接結合してよく、出力または受信回路機構210に結合されたバッテリー(または負荷)236によって蓄積または消費される出力電力を生成し得る。
【００４２】
受信機208は、ワイヤレス電力受信機208の1つまたは複数の態様の管理に関して上述したように送信コントローラ240と同様に構成されたコントローラ250をさらに含み得る。受信機208は、たとえば、コントローラ250にワイヤレス電力伝達の管理に関係する機能などの特定の機能を実施させるための命令などのデータを記憶するように構成されたメモリ(図示せず)をさらに含み得る。
【００４３】
上述したように、送信機204と受信機208は、ある距離だけ分離されてよく、送信機204と受信機208との間の伝送損失を最小限に抑えるように相互共振関係に従って構成されてよい。
【００４４】
図3は、例示的な実施形態による、図2の送信回路機構206または受信回路機構210の一部分の概略図である。図3に示すように、送信または受信回路機構350は、電力送信または受信要素352と同調回路360とを含み得る。電力送信または受信要素352はまた、アンテナもしくは「ループ」アンテナと呼ばれるか、またはアンテナもしくは「ループ」アンテナとして構成される場合がある。「アンテナ」という用語は、一般に、別のアンテナへの結合のためのエネルギーをワイヤレスに出力または受信することができる構成要素を指す。電力送信または受信要素352はまた、本明細書では「磁気」アンテナ、または誘導コイル、共振器、もしくは共振器の一部と呼ばれるか、またはそれらとして構成され得る。電力送信または受信要素352はまた、電力をワイヤレスに出力または受信するように構成されるタイプのコイルまたは共振器と呼ばれる場合がある。本明細書で使用する電力送信要素または受信要素352は、電力をワイヤレスに出力し、かつ/または受信するように構成されるタイプの「電力伝達構成要素」の例である。電力送信要素または受信要素352は、空芯、またはフェライトコアなどの物理コア(この図には示さず)を含み得る。
【００４５】
電力送信または受信要素352が同調回路360を含む共振回路または共振器として構成されるとき、電力送信または受信要素352の共振周波数は、インダクタンスおよびキャパシタンスに基づき得る。インダクタンスは、単に、電力送信または受信要素352を形成するコイルおよび/または他のインダクタによって作成されるインダクタンスであってよい。キャパシタンス(たとえば、キャパシタ)は、所望の共振周波数における共振構造を作成するように同調回路360によって提供されてよい。非限定的な例として、同調回路360は、共振回路を作成するように送信および/または受信回路機構350に追加され得る、キャパシタ354およびキャパシタ356を備えてよい。
【００４６】
同調回路360は、電力送信または受信要素352をもつ共振回路を形成するための他の構成要素を含み得る。別の非限定的な例として、同調回路360は、回路機構350の2つの端子間に並列に配置されたキャパシタ(図示せず)を含み得る。さらに他の設計が可能である。いくつかの実施形態では、フロントエンド回路226内の同調回路は、フロントエンド回路232内の同調回路と同じ設計(たとえば、360)を有し得る。他の実施形態では、フロントエンド回路226は、フロントエンド回路232とは異なる同調回路設計を使用してよい。
【００４７】
電力送信要素に関しては、信号358は、電力送信または受信要素352の共振周波数に実質的に相当する周波数を有し、電力送信または受信要素352への入力であってよい。電力受信要素に関しては、信号358は、電力送信または受信要素352の共振周波数に実質的に相当する周波数を有し、電力送信または受信要素352からの出力であってよい。本明細書で開示する態様は、概して共振ワイヤレス電力伝達に向けられてよいが、本明細書で開示する態様は、ワイヤレス電力伝達のための非共振実装形態内で使用されてよい。
【００４８】
図4Aおよび図4Bは、本開示による電子デバイス40(たとえば、スマートフォン、コンピュータタブレット、ラップトップなど)の例を示す。電子デバイス40は、電子デバイス40を備える電子機器(図示せず)を収容するための背面エンクロージャ(ハウジング)400を含み得る。いくつかの実施形態では、背面エンクロージャ400は金属製(金属裏蓋)であってよい。いくつかの実施形態では、背面エンクロージャ400は、いくつかの金属部分402a、402、402bに分割され得る。部分402aおよび402は、空間またはギャップ404を画定するように離間され得る。通信アンテナ(図示せず)は、通信信号の送信および受信を可能にするように、ギャップ404に相対して整列され得る。同様に、部分402および402bは、追加通信アンテナ(図示せず)用の空間またはギャップ406を画定するように離間され得る。
【００４９】
金属部分402は、背面エンクロージャ400の一部分を画定するように形成された導電体(構造)を備え得る。本開示によると、金属部分402は、電力受信要素を画定するように、開ループ412の形状を有し得る。図4Bは、たとえば、金属部分402が、金属部分402を通って形成される開口408を画定し得ることを示す。開口408は、たとえば、カメラのレンズ(図示せず)を保持するのに使用され得る。スロット410が、金属部分402によって画定され、それを通して形成され、開口408と金属部分402の周縁におけるエッジとの間の伸長が、開ループ412を画定し得る。電流フロー422は渦電流のフローを表すが、これについては以下で説明する。
【００５０】
図5は、本開示の態様による、金属部分402の追加詳細を示す概略表現である。いくつかの実施形態では、たとえば、金属部分402はキャパシタC1に電気接続されてよく、したがって回路512を作成する。図5に示すように、たとえば、金属部分402が開ループ412(図4B)の形状で形成されるので、金属部分402は、インダクタンスLmodelと直列に接続された抵抗Rmodelとしてモデル化され得る。キャパシタC1は回路512を完成する。
【００５１】
いくつかの実施形態では、電力受信要素502が、開口408に巻き付けられた導電性材料の多巻きコイルによって画定され得る。電力受信要素502は、金属部分402の内側表面に付着されるか、またはそうでなければ隣に配設され得る。いくつかの実施形態では、電力受信要素502はキャパシタC2に接続され得る。様々な実施形態では、他の回路または回路要素がキャパシタC2と置き換わり得ることが理解されよう。いくつかの実施形態(図示せず)では、キャパシタC2が省かれてよい。
【００５２】
いくつかの実施形態では、整流するための手段が電力受信要素502に接続され得る。たとえば、整流器504が、回路512から電気的に分離する回路を画定するように、電力受信要素502とキャパシタC2の組合せに接続され得る。整流器504は、直流(DC)出力電圧Vout(DC電力)を生じるように電力受信要素502中で交流(AC)信号を整流するための、どの適切な設計であってもよい。出力電圧Voutは電子デバイス(40、図4A)中の負荷(たとえば、デバイスエレクトロニクス)506に供給され得る。
【００５３】
いくつかの実施形態では、電力受信要素502を備える、導電性材料のコイルは、開口408に隣接して、開口408に巻き付けられ得る。他の実施形態では、電力受信要素502は、開口408よりも大きいエリアを取り囲むように、より大きい全周の辺りを取り巻いてよい。図5Aは、たとえば、電力受信要素502が金属部分402の周縁に巻き付けられ得ることを示す。他の実施形態では、電力受信要素502の全周は、開口408と金属部分402の全周との間のどこにあってもよいことが理解されよう。
【００５４】
図6を参照すると、動作中、金属部分402が外部生成磁場(たとえば、図1に示すワイヤレス電力伝達システム100のワイヤレス場105)に露出されると、金属部分402は外部生成磁場に結合することができ、結合に応答して、電流(たとえば、渦電流)のフローが金属部分402中で誘導され得る。この電流フローは、図中では、回路512中の電流602のフローとして概略的に表される。比較のために、図4Bは、キャパシタC1が省かれるとき、誘導電流422が金属部分402中でどのように流れ得るかを示す。
【００５５】
金属部分402が抵抗RmodelとインダクタンスLmodelの直列接続としてモデル化され得ることを思い起こすと、インダクタンスLmodelと直列接続したキャパシタC1は、インダクタンスLmodelによって提示されるリアクタンスを打ち消すか、または少なくとも大幅に削減し得る。原理上、キャパシタC1のキャパシタンスが適切に選択された場合、LmodelおよびC1のリアクタンス成分、それぞれjωLmodelおよび1/jωC1が互いを打ち消すことになり、純粋な抵抗成分、すなわちRmodelを残す。回路512中のリアクタンス成分を打ち消すか、または少なくとも大幅に削減すると、金属部分402中で誘導される電流602のフローが増大し、したがってワイヤレス電力伝達が増大し得る。
【００５６】
金属部分402中で誘導された電流602のフローは、金属部分402から発出する磁場(誘導磁場)を作成することができ、これは、図6において影付きエリア604によって概略的に表される。金属部分402はしたがって、磁場、すなわち誘導磁場604を生成するための手段として働き得る。電力受信要素502は誘導磁場604に結合してよく、結果として電力受信要素502中で電流606のフローを生じる。電力受信要素502はしたがって、電流606のフローを生じるための手段として働き得る。
【００５７】
電力受信要素502中で誘導された電流606のフローは、DC電圧Voutを生じるように、適切な整流器(たとえば、整流器504)を使用して整流されてよく、この電圧は、負荷506(たとえば、デバイスエレクトロニクス、バッテリーなど)に電力供給するのに使用され得る。したがって、適切に選択されたキャパシタC1は、金属部分402中の電流602の誘導フローを最大限にすることができ、これにより、電力受信要素502によって結合され得る誘導磁場604が最大限になり得る。
【００５８】
本開示によると、金属部分402の共振周波数が、回路512の共振周波数を設定するように、キャパシタC1用のキャパシタンスの適切な選択によって同調され得る(金属部分402を「同調する」)。共振時において、無効分LmodelおよびC1は、特定の周波数において実質的に消える。同様に、電力受信要素502の共振周波数は、電力受信要素502を備える回路の共振周波数を設定するように、キャパシタC2用のキャパシタンスの適切な選択によって同調され得る。
【００５９】
図6Aを参照すると、本開示によると、送信コイル(たとえば、図1の電力送信要素114中)から電力受信要素502への電力伝達(たとえば、引き渡される電力の量および引渡しの効率)が、送信コイルと金属部分402との間の相互インダクタンスM1(およびしたがって、結合)ならびに/または金属部分402と電力受信要素502との間の相互インダクタンスM2を変えることによって制御され得る。たとえば、送信コイルと電力受信要素502との間の結合は、送信コイルと金属部分402との間の相互インダクタンスM1と、金属部分402と電力受信要素502との間の相互インダクタンスM2の両方を最大限にすることによって、電力伝達用に最大限にされ得る。最大相互インダクタンスは、金属部分402と電力受信要素502の両方の共振周波数を、送信コイルによって生成される外部生成磁場の周波数と実質的に等しくなるように設定することによって達成され得る。
【００６０】
いくつかの状況において、最大未満の電力伝達が望ましい場合がある。電力伝達の程度は、相互インダクタンスを下げることによって制御され得る。たとえば、金属部分402の共振周波数は、送信コイルと金属部分402との間の相互インダクタンスM1を低減するように、外部生成磁場の周波数とは異なる周波数に設定されてよく(「共振外」であると呼ばれる)、同時に、電力受信要素502の共振周波数は、外部生成磁場の周波数と実質的に等しいままにする。送信コイルと金属部分402との間の相互インダクタンスM1を低減することには、送信コイルから電力受信要素502への電力伝達を低減するという全体的効果があり得る。逆に、金属部分402の共振周波数は、外部生成磁場の周波数と実質的に等しいままであってよく、その間、電力受信要素502の共振周波数は、金属部分402と電力受信要素502との間の相互インダクタンスM2を低減するように、外部生成磁場の周波数とは異なる周波数に設定されてよい。いくつかの実施形態では、送信コイルと金属部分402との間の相互インダクタンスM2と、金属部分402と電力受信要素502との間の相互インダクタンスの両方が、たとえば、金属部分402と電力受信要素502の両方を、外部生成磁場の周波数に関して共振外になるように同調することによって低減され得る。
【００６１】
図5、図5A、および図6を再び参照すると、概略表現は、金属部分402に電気接続されたキャパシタC1を示す。いくつかの実施形態では、キャパシタC1は、金属部分402に直接接続され(たとえば、はんだ付けされ)得る。他の実施形態では、キャパシタC1を金属部分402に直接取り付けることは現実的でない場合がある。図7は、したがって、本開示の他の実施形態による、キャパシタC1を使用して金属部分402を同調する特定の実装形態の例を示す。電子デバイス(たとえば、図4Aの40)のデバイスエレクトロニクスを備えるプリント回路基板(PCB)702上に、同調要素712が配設され得る。PCB702に取り付けられ、同調要素712に接続されたコネクタ714(たとえば、ポゴピン)は、金属部分402上に形成された接触点716との電気的接触をするように同調要素712から伸びてよく、したがって同調要素712を金属部分402に電気接続する。
【００６２】
様々な実施形態では、同調要素712は、どの適切な回路機構または回路要素であってもよい。いくつかの実施形態では、たとえば、同調要素712は、キャパシタC1(図5)などのキャパシタであってよい。他の実施形態では、同調要素712は、可変キャパシタ、直列接続キャパシタ、並列接続キャパシタなどを含むキャパシタのネットワークを含み得る。上で言及したように、金属部分402は、そのループ形状412(図4B)によって、それに関連付けられたインダクタンスLmodel(図5)を有する。いくつかの実施形態では、金属部分402のインダクタンスは変更され得る。したがって、いくつかの実施形態では、同調要素712は、金属部分402および同調要素712によって提示される総インダクタンスを増大または減少するための1つまたは複数の誘導性要素を含み得る。
【００６３】
本開示によると、金属部分402および電力受信要素502の役割は反対にしてよい。図8を参照すると、たとえば、いくつかの実施形態では、金属部分402は電力受信要素802として働き得る。整流器814は、回路812を画定するように、金属部分402に接続され得る。いくつかの実施形態では、同調キャパシタC1(または他の同調回路)が、たとえば、回路812の共振周波数を同調するように、回路812に追加され得る。磁場を生成するための手段は、開口408に巻き付けられた導電性材料のコイル804を含み得る。キャパシタC2が、コイル804およびキャパシタC2によって画定される回路の共振周波数を同調するように、コイル804に接続され得る。
【００６４】
上述したように、送信コイル(たとえば、電力送信要素114、図1)から電力受信要素802への電力伝達は、送信コイルと電力受信要素802との間の相互インダクタンスおよび/または電力受信要素802とコイル804との間の相互インダクタンスを制御することによって制御され得る。たとえば、電力受信要素802は、送信コイルと電力受信要素802との間の相互インダクタンスを改変するために、送信コイルによって生成された外部磁場の周波数に関して共振するか、または共振外になるように(たとえば、C1を同調することによって)同調され得る。同様に、コイル804は、電力受信要素802とコイル804との間の相互インダクタンスを改変するために、外部磁場の周波数に関して共振するか、または共振外になるように(たとえば、C2を同調することによって)同調され得る。
【００６５】
図8Aを参照すると、他の実施形態では、コイル804は省かれてよく、電力受信要素802(金属部分402を使用して実現される)、ならびにキャパシタC1および整流器814を備える共振回路812のみを残す。
【００６６】
図9および図9Aを参照すると、本開示による実施形態が、装着可能電子デバイスを含み得る。いくつかの実施形態では、たとえば、装着可能電子デバイス90は、締め具94に接続されたデバイス本体92を含み得る。装着可能電子デバイス90は、スマートウォッチ、フィットネス監視デバイスなどであってよい。
【００６７】
デバイス本体92は、金属部分902を含み得る。金属部分902は、中央開口908と、開口908および金属部分902の周縁を接続するスロット910とを画定する開ループ形状を有し得る。キャパシタC1が、キャパシタC1によって同調される回路を画定するように、金属部分902に接続され得る。デバイス本体92は、開口908に巻き付けられた電力受信要素(たとえば、コイル)912を含み得る。電力受信要素912は、キャパシタC2に(たとえば、電力受信要素912を同調するように)、および外部生成磁場に露出されると、電力受信要素912中で誘導された電流のフローを使用してDC電圧Voutを生じるように、整流器904に接続され得る。
【００６８】
いくつかの実施形態では、金属部分902は、装着可能電子デバイス90を備えるデバイスエレクトロニクス(図示せず)を収容するためのハウジングとして働き得る。図9Aを参照すると、他の実施形態では、装着可能電子デバイス91が、金属部分902および電力受信要素912を収容するための非金属製ハウジング96を含み得るデバイス本体93を含み得る。
【００６９】
上述したように、送信コイル(たとえば、電力送信要素114、図1)から電力受信要素912への電力伝達は、送信コイルと電力受信要素912との間の相互インダクタンスおよび/または電力受信要素912と金属部分902との間の相互インダクタンスを制御することによって制御され得る。たとえば、電力受信要素912は、送信コイルと電力受信要素912との間の相互インダクタンスを改変するために、送信コイルによって生成された外部磁場の周波数に関して共振するか、または共振外になるように(たとえば、C2を同調することによって)同調され得る。同様に、金属部分902は、電力受信要素912と金属部分902との間の相互インダクタンスを改変するために、外部磁場の周波数に関して共振するか、または共振外になるように(たとえば、C1を同調することによって)同調され得る。
【００７０】
図10を参照すると、本開示による実施形態が、ポータブルコンピュータ、たとえば、ラップトップコンピュータ、コンピュータタブレットなどを含み得る。いくつかの実施形態では、たとえば、ポータブルコンピュータ10が、ディスプレイ1004およびデバイスエレクトロニクス(たとえば、回路機構、バッテリーなど)1006、ならびにワイヤレス電力受信機1010を収容するための前面エンクロージャ1002および背面エンクロージャ1008を備え得る。背面エンクロージャ1008は、ワイヤレス電力受信機能と干渉しないために、非金属製材料であってよい。本開示によるワイヤレス電力受信機1010の詳細について、ここで記載する。
【００７１】
図11Aおよび図11Bは、本開示の実施形態によるワイヤレス電力受信機1010の詳細を示す概略表現である。ワイヤレス電力受信機1010は、開口1108、ならびに開口1108と金属部分1102の周縁との間に伸びるスロット1110を画定する開ループの形状を有する金属部分1102を含み得る。電力受信要素(たとえば、コイル)1112が、開口1108に巻き付けられ得る。整流器1104が、外部生成磁場に応答して電力受信要素1112中で起こり得る電流のフローからDC電圧Voutを生じるように、電力受信要素1112に接続され得る。
【００７２】
電力受信機1010によって生成され得る磁場がデバイスエレクトロニクス1006に結合するのを防止するために、電力受信要素1112とデバイスエレクトロニクス1006との間にフェライトレイヤ1122が配設され得る。フェライトレイヤ1122は、金属部分1102の詳細をより明白に示すために、図11Bでは省かれている。
【００７３】
キャパシタC1が、金属部分1102と送信コイルとの間の相互インダクタンスを改変するために、金属部分1102を、外部生成磁場と共振するか、または外部生成磁場と共振しないように同調するのに使用され得る。同様に、キャパシタC2が、電力受信要素1112と金属部分1102との間の相互インダクタンスを改変するために、電力受信要素1112を、外部生成磁場と共振するか、または共振しないように同調するのに使用され得る。
【００７４】
本開示の実施形態によると、電力受信機1010は、図10に示すポータブルコンピュータ10のエリアよりも小さいエリアを有し得る。いくつかの実施形態では、電力受信機1010のエリアは、ポータブルコンピュータ10のエリアの50%未満であり得る。同調金属部分1102の増幅効果により、コイル1112は、外部生成磁場により強く結合し、したがって、同調金属部分1112などの増幅要素を使用しないワイヤレス電力伝達システムにおけるよりも大きい電力伝達を達成し得る。したがって、電力受信機1010は、より小さくてよく、それでも、より大きいワイヤレス電力伝達システムと比較して、同様の電力伝達を達成し得る。
【００７５】
上記の説明は、特定の実施形態の態様がどのように実装される場合があるかの例とともに、本開示の様々な実施形態を示す。上記の例は、唯一の実施形態であると見なすべきではなく、これらは、以下の特許請求の範囲によって規定されるような特定の実施形態の融通性および利点を例示するために提示される。上記の開示および以下の特許請求の範囲に基づいて、特許請求の範囲によって規定される本開示の範囲から逸脱することなく、他の構成、実施形態、実施態様、および等価物が採用されてよい。
【符号の説明】
【００７６】
10  ポータブルコンピュータ
40  電子デバイス
90  装着可能電子デバイス
91  装着可能電子デバイス
92  デバイス本体
93  デバイス本体
94  締め具
96  非金属製ハウジング
100  ワイヤレス電力伝達システム
104  送信機
105  ワイヤレス場
108  受信機
114  電力送信要素
118  電力受信要素
200  ワイヤレス電力伝達システム、システム
204  送信機
205  ワイヤレス場
206  送信回路機構
208  受信機、ワイヤレス電力受信機
210  受信回路機構
214  電力送信要素
218  電力受信要素
219  通信チャネル
222  発振器
223  周波数制御信号
224  ドライバ回路
226  フロントエンド回路
232  フロントエンド回路
234  整流器回路
236  バッテリー
240  コントローラ、送信コントローラ
250  コントローラ
350  送信または受信回路機構、送信および/または受信回路機構、回路機構
352  電力送信または受信要素
354  キャパシタ
356  キャパシタ
358  信号
360  同調回路
400  背面エンクロージャ(ハウジング)
402  金属部分、部分
402a  金属部分、部分
402b  金属部分、部分
404  空間、ギャップ
406  ギャップ
408  開口
410  スロット
412  開ループ、ループ形状
422  電流フロー
502  電力受信要素
504  整流器
506  負荷
512  回路
604  誘導磁場、影付きエリア
606  電流
702  プリント回路基板(PCB)
712  同調要素
714  コネクタ
716  接触点
802  電力受信要素
804  コイル
812  回路、共振回路
814  整流器
902  金属部分
904  整流器
908  中央開口、開口
910  スロット
912  電力受信要素
1002  前面エンクロージャ
1004  ディスプレイ
1006  デバイスエレクトロニクス
1008  背面エンクロージャ
1010  ワイヤレス電力受信機、電力受信機
1102  金属部分
1104  整流器
1006  デバイスエレクトロニクス
1108  開口
1110  スロット
1112  電力受信要素、コイル、同調金属部分
1122  フェライトレイヤ
【図１】
2019512197.tif 000003
【図２】
2019512197.tif 000004
【図３】
2019512197.tif 000005
【図４Ａ】
2019512197.tif 000006
【図４Ｂ】
2019512197.tif 000007
【図５】
2019512197.tif 000008
【図５Ａ】
2019512197.tif 000009
【図６】
2019512197.tif 000010
【図６Ａ】
2019512197.tif 000011
【図７】
2019512197.tif 000012
【図８】
2019512197.tif 000013
【図８Ａ】
2019512197.tif 000014
【図９】
2019512197.tif 000015
【図９Ａ】
2019512197.tif 000016
【図１０】
2019512197.tif 000017
【図１１Ａ】
2019512197.tif 000018
【図１１Ｂ】
2019512197.tif 000019
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
ワイヤレス電力伝達のための電子装置であって、
第1の磁場に磁気結合するように構成された導電体と、
前記導電体に電気接続された第1の同調要素と、
前記導電体によって画定された開口に巻き付けられた導電性コイルであって、第2の磁場に磁気結合するように構成された、導電性コイルと、
前記導電性コイルに接続された整流器であって、前記電子装置を備える電子機器に電力を供給するために、前記導電性コイル中で誘導される電流を整流するように構成された、整流器と
を備え、
前記第1の磁場は、ワイヤレス電力送信機によって生成された外部生成磁場であり、前記導電体は、前記外部生成磁場に結合されたことに応答して、前記第2の磁場を生成するように構成される、装置。
【請求項２】
前記導電性コイルに電気接続された第2の同調要素をさらに備える、請求項1に記載の装置。
【請求項３】
前記第1の同調要素および前記第2の同調要素の各々は1つまたは複数のキャパシタを備える、請求項2に記載の装置。
【請求項４】
前記第1の同調要素および前記第2の同調要素のいずれかまたは両方は、1つまたは複数のインダクタを備える、請求項3に記載の装置。
【請求項５】
前記第1の同調要素がその上に配設されたプリント回路基板と、
前記第1の同調要素を前記導電体に電気接続するコネクタと
をさらに備える、請求項1に記載の装置。
【請求項６】
プリント回路基板をさらに備え、前記導電性コイルは、前記導電体と前記プリント回路基板との間に配設される、請求項1に記載の装置。
【請求項７】
前記導電性コイルと前記プリント回路基板との間に配設されたフェライト材料をさらに備える、請求項6に記載の装置。
【請求項８】
前記第1の同調要素および前記導電体は、前記第1の同調要素によって規定される共振周波数を有する回路を構成する、請求項1に記載の装置。
【請求項９】
前記第1の同調要素および前記導電体を備える前記回路の前記共振周波数に実質的に等しい共振周波数を有する回路を画定するように、前記導電性コイルに電気接続された第2の同調要素をさらに備える、請求項8に記載の装置。
【請求項１０】
前記第1の同調要素および前記導電体を備える前記回路の前記共振周波数とは異なる共振周波数を有する回路を画定するように、前記導電性コイルに電気接続された第2の同調要素をさらに備える、請求項8に記載の装置。
【請求項１１】
電子機器を収容するように構成された金属エンクロージャをさらに備え、前記金属エンクロージャは前記導電体を備える、請求項1に記載の装置。
【請求項１２】
前記装置を備える電子機器を収容するように構成された非金属エンクロージャをさらに備え、前記導電体および前記導電性コイルは前記非金属エンクロージャ内に収容される、請求項1に記載の装置。
【請求項１３】
装着可能電子デバイスである、請求項1に記載の装置。
【請求項１４】
電子デバイスへのワイヤレス電力伝達のための方法であって、
前記電子デバイスのためのハウジングを備える導電性構造を介して外部生成磁場に磁気結合して、前記導電性構造から発出する誘導磁場を生じるステップと、
電力受信要素を介して前記誘導磁場に磁気結合して、前記電力受信要素中で電流を誘導するステップであって、前記電力受信要素は、前記導電性構造から電気的に絶縁される、ステップと、
前記電力受信要素中で誘導された前記電流から電力を生じるステップと
を含む、方法。
【請求項１５】
前記導電性構造を含む回路の共振周波数は、前記外部生成磁場の周波数に実質的に等しい、請求項14に記載の方法。
【請求項１６】
前記電力受信要素を含む回路の共振周波数は、前記外部生成磁場の周波数に実質的に等しい、請求項14に記載の方法。
【請求項１７】
前記導電性構造を介して前記外部生成磁場に磁気結合するステップは、第1の同調要素に電気接続された前記導電性構造を備える第1の回路中で電流を誘導するステップを含み、前記電力受信要素を介して前記誘導磁場に磁気結合するステップは、第2の同調要素に電気接続された前記電力受信要素を備える第2の回路中で電流を誘導するステップを含む、請求項14に記載の方法。
【請求項１８】
前記第1の回路および前記第2の回路のいずれかまたは両方の、共振周波数は、前記外部生成磁場の周波数に実質的に等しい、請求項17に記載の方法。
【請求項１９】
電力を生じるステップは、前記電力受信要素中で誘導された前記電流を整流するステップを含む、請求項14に記載の方法。
【請求項２０】
電力をワイヤレス受信するための装置であって、
前記装置を備える電子構成要素を封入するように構成されたハウジングであって、金属部分を備える、ハウジングと、
前記ハウジングの前記金属部分に接続された第1の同調要素であって、前記ハウジングの前記金属部分は、外部生成磁場に磁気結合されたことに応答して、電流のフローをその中で誘導させることを可能にする形状を有し、前記電流のフローに応答して、前記金属部分から誘導磁場が発出する、第1の同調要素と、
前記ハウジング中の導電性コイルであって、前記誘導磁場に磁気結合されたことに応答して、前記導電性コイル中で電流のフローが誘導される、導電性コイルと、
負荷に電力を供給するために、前記導電性コイル中で誘導される電流を整流するように構成された整流器と
を備える、装置。
【請求項２１】
前記ハウジングの前記金属部分は、それを通る開口を画定し、前記開口から前記金属部分の周縁までのスロットを画定する、請求項20に記載の装置。
【請求項２２】
前記整流器は前記導電性コイルに電気接続される、請求項20に記載の装置。
【請求項２３】
前記第1の同調要素および前記ハウジングの前記金属部分は、第2の同調要素および前記導電性コイルによって規定される共振周波数に実質的に等しい共振周波数を規定する、請求項20に記載の装置。
【請求項２４】
前記第1の同調要素および前記ハウジングの前記金属部分は、第2の同調要素および前記導電性コイルによって規定される共振周波数とは異なる共振周波数を規定する、請求項20に記載の装置。
【請求項２５】
電子デバイスにおいて電力をワイヤレス受信するための装置であって、
前記電子デバイスの電子機器を収容するための手段であって、外部生成磁場に磁気結合するための手段から発出する誘導磁場を生じるように、前記外部生成磁場に磁気結合するための前記手段を備える金属部分を有し、前記外部生成磁場に磁気結合するための前記手段は、共振周波数で共振するように、前記外部生成磁場に磁気結合するための前記手段を同調するための手段に電気接続される、手段と、
電流を誘導するために前記誘導磁場に磁気結合するための手段であって、前記外部生成磁場に磁気結合するための前記手段から電気的に絶縁された、手段と、
前記誘導磁場に磁気結合するための前記手段において誘導された前記電流から電力を生じるための手段と
を備える、装置。
【請求項２６】
前記外部生成磁場に磁気結合するための前記手段および前記誘導磁場に磁気結合するための前記手段のいずれかまたは両方は、前記外部生成磁場の周波数に実質的に等しい共振周波数を有する、請求項25に記載の装置。
【請求項２７】
前記誘導磁場に磁気結合するための前記手段は導電性コイルを備える、請求項25に記載の装置。
【国際調査報告】
2019512197.tif 000020
2019512197.tif 000021
2019512197.tif 000022